(57)【要約】【課題】プローブのストレインリリーフ用具及びその製造方法に関する発明を提供すること。【解決手段】開示された発明は、一方の側がプローブスイッチボックスに装着され、内側に挿入溝を備えるインサート部と、前記挿入溝に装着されるフェライトコアと、前記インサート部の他方の側にラバー材を射出成形して形成されるラバー部とを備える。本発明によれば、ケーブルに加えられる衝撃からケーブルを保護し、ケーブルの屈曲による影響がプローブスイッチボックスとケーブルとの接点に及ぶことを抑制することによって、ケーブルを破損から保護することができる。【選択図】図１
2011104372.tif 000002
【特許請求の範囲】
【請求項１】
一方の側がプローブスイッチボックスに装着され、内側に挿入溝を備えるインサート部と、
前記挿入溝に装着されるフェライトコアと、
前記インサート部の他方の側にラバー材を射出して形成されるラバー部と、
を含むことを特徴とするプローブのストレインリリーフ用具。
【請求項２】
前記インサート部は、本体部と、該本体部に設けられ、前記プローブスイッチボックスに装着される凸部とを含むことを特徴とする、請求項１に記載のプローブのストレインリリーフ用具。
【請求項３】
前記インサート部は、前記本体部から前記ラバー部側に延長されるように形成され、内側に前記挿入溝が形成される延長部をさらに含むことを特徴とする、請求項２に記載のプローブのストレインリリーフ用具。
【請求項４】
前記延長部には前記本体部との近傍に注入溝が形成され、前記延長部及び前記注入溝にラバー材が射出注入されることによりラバー部が形成されることを特徴とする、請求項３に記載のプローブのストレインリリーフ用具。
【請求項５】
前記ラバー部は、その外周面が前記インサート部の前記本体部の外周面と連続的に形成されるように構成されていることを特徴とする、請求項２から４のうちいずれか１項に記載のプローブのストレインリリーフ用具。
【請求項６】
前記インサート部の前記本体部の外周面には、前記プローブスイッチボックスに対して前記インサート部の回転を防止するＤカット部が形成されることを特徴とする、請求項２から５のうちいずれか１項に記載のプローブのストレインリリーフ用具。
【請求項７】
挿入溝を有するインサート部を製造し、
前記インサート部の前記挿入溝にフェライトコアを挿入し、
前記フェライトコアが挿入された前記インサート部の一方の側にラバー材を射出することによりラバー部を形成することを特徴とするプローブのストレインリリーフ用具の製造方法。
【請求項８】
前記インサート部は、本体部と、前記ラバー部に延在するように前記本体部に設けられ、前記挿入溝を有する延長部とを有し、
前記インサート部を製造するにあたり、
前記インサート部の前記延長部の前記本体部近傍に前記ラバー材が射出注入される注入溝を形成することを特徴とする、請求項６に記載のプローブのストレインリリーフ用具の製造方法。
【請求項９】
前記インサート部を製造するにあたり、
前記インサート部の前記本体部の外周面にプローブスイッチボックスに対して前記インサート部の回転を防止するＤカット部を形成することを特徴とする、請求項７に記載のプローブのストレインリリーフ用具の製造方法。
【発明の詳細な説明】
【技術分野】
【０００１】
本発明は、プローブのストレインリリーフ用具に関し、より詳細には、プローブのストレインリリーフ用具及びその製造方法に関する。
【背景技術】
【０００２】
超音波診断装置は、対象体の体表から体内の所望の部位に向けて超音波信号を照射し、対象体から反射されてくる超音波信号（超音波エコー信号）を用いて、軟部組織の断層像や血流に関する情報を無侵襲で得る装置である。この装置は、Ｘ線診断装置、ＣＴスキャナ（Ｃｏｍｐｕｔｅｒｉｚｅｄ  Ｔｏｍｏｇｒａｐｈｙ  Ｓｃａｎｎｅｒ）、ＭＲＩ（Ｍａｇｎｅｔｉｃ  Ｒｅｓｏｎａｎｃｅ  Ｉｍａｇｅ）、核医学診断装置などの他の映像診断装置と比較して、小型である、安価である、リアルタイムで表示が可能である、そしてＸ線などのように被曝がなくて安全性が高い、などの長所があるため、心臓、腹部、泌尿器、産婦人科などの診断に幅広く利用されている。
【０００３】
特に、超音波診断装置は、対象体の超音波映像を得るために、超音波信号を対象体に送信し、対象体から反射してくる超音波エコー信号を受信するためのプローブを備えている。
【０００４】
プローブは、その中にトランスデューサを備えている。このトランスデューサは、振動しながら電気信号と音響信号とを相互変換させる圧電体を用いて超音波信号を対象体に送信し、対象体から反射されてくる超音波信号を受信する。
【０００５】
ユーザは、所望の超音波映像を得るために、前記のように構成されたプローブを対象体の体表に沿って移動させるか、対象体の体表に接触させた状態でプローブを回転させて超音波映像を得る。
【０００６】
このプローブの反対側（超音波を送受信しない側）にはケーブルが連結される。このようなケーブルは、超音波診断装置の本体と連結され、プローブは、このケーブルを介して超音波診断装置の本体と連結される。
【０００７】
前記のようにプローブと超音波診断装置の本体とを連結するケーブルは、プローブのケースを介してトランスデューサと連結されたＰＣＢと連結される一方、ケースとの接点で接着剤などによってケースに接着されることによってプローブに接続される。
【０００８】
前記のような技術構成は、本発明の理解を促進するための背景技術であって、本発明の属する技術分野で広く知られている従来技術の全てを意味するものではない。
【発明の概要】
【発明が解決しようとする課題】
【０００９】
前記のようにプローブに備えられるケーブルには、プローブを移動又は使用する過程で屈曲が発生する。このようなケーブルの屈曲は、ケーブルとケースとの接点に加えられる力として作用し、ケーブルの断線を発生させる原因になる。したがって、これを改善することが要請される。
【００１０】
本発明は、前記のような問題点を改善するためになされたもので、その目的は、ケーブルの屈曲による影響を減少させることができるプローブのストレインリリーフ用具及びその製造方法を提供することにある。
【課題を解決するための手段】
【００１１】
本発明の一側面に係るプローブのストレインリリーフ用具は、一方の側がプローブのスイッチボックスに装着され、内側に挿入溝を備えるインサート部（中間部）と、前記挿入溝に装着されるフェライトコアと、前記インサート部の他方の側にラバー材を射出注入して成形されるラバー部とを備える。
【００１２】
また、前記インサート部は、本体部と、該本体部に設けられ、前記プローブスイッチボックスに装着される凸部とを備える。
【００１３】
また、前記インサート部は、前記本体部から前記ラバー部側に延長されるように形成され、内側に前記挿入溝が形成される延長部をさらに備える。
【００１４】
また、前記延長部には前記本体部との近傍に注入溝が形成され、ラバー材が、前記インサート部の前記延長部に射出され及び前記注入溝に入り込むように射出注入される。
【００１５】
また、前記ラバー部は、その外周面が前記インサート部の前記本体部の外周面と連続的に形成されるように構成されていることが望ましい。
【００１６】
また、前記インサート部の前記本体部の外周面には、前記プローブスイッチボックスに対して前記インサート部の回転を防止するＤカット部が形成される。
【００１７】
また、本発明の他の側面に係るプローブのストレインリリーフ用具の製造方法は、挿入溝を有するインサート部を製造し、前記インサート部の前記挿入溝にフェライトコアを挿入し、前記フェライトコアが挿入された前記インサート部の一方の側にラバー材を射出してラバー部を形成する方法を含む。
【００１８】
また、前記インサート部は、本体部と、前記ラバー部に延在するように前記本体部に設けられ、前記挿入溝を有する延長部とを有し、前記インサート部を製造するにあたり、前記インサート部の前記延長部の前記本体部近傍に前記ラバー材が射出注入される注入溝を予め形成しておくことが望ましい。
【００１９】
また、前記インサート部を製造するにあたり、前記インサート部の前記本体部の外周面にプローブスイッチボックスに対して前記インサート部の回転を防止するＤカット部を予め形成しておくことが望ましい。
【発明の効果】
【００２０】
本発明によれば、ケーブルに加えられる衝撃からケーブルを保護し、ケーブルの屈曲による影響がプローブスイッチボックスとケーブルとの接点に及ぶのを抑制することによって、ケーブルを破損から保護することができる。
【００２１】
また、本発明は、フェライトコアが挿入されたインサート部にラバー材を射出注入することによって製造されるため、部品の数が少なくなり、組立作業の工程を減らすことができる。これにより、製造が容易になるだけでなく、製造にかかる費用を削減できるという利点を有する。
【００２２】
また、本発明は、プローブスイッチボックスにおけるインサート部の回転とインサート部におけるラバー部の回転が防止されるので、プローブスイッチボックス、インサート部及びラバー部の間の回転及びこれによって発生する摩擦による部材間の摩耗や破損を防止することができる。
【図面の簡単な説明】
【００２３】
【図１】本発明の一実施例に係るプローブのストレインリリーフ用具を示した分解斜視図である。
【図２】本発明の一実施例に係るプローブのストレインリリーフ用具を示した断面図である。
【図３】本発明の一実施例に係るプローブのストレインリリーフ用具の製造方法を示すフローチャートである。
【発明を実施するための形態】
【００２４】
以下、添付の図面を参照して、本発明に係るプローブのストレインリリーフ用具及びその製造方法の実施例を説明する。図面に示されている線の太さや構成要素の大きさなどは、説明の明瞭性及び便宜上、誇張されて示される場合がある。また、本文中の用語は、本発明における機能を考慮して定義された用語であって、これらは、使用者及び運用者の意図又は慣例により変わることがある。従って、このような用語に対する定義は、本明細書の全般に渡った内容に基づいて下さなければならない。
【００２５】
図１は、本発明の一実施例に係るプローブのストレインリリーフ用具を示す分解斜視図で、図２は、本発明の一実施例に係るプローブのストレインリリーフ用具を示す断面図である。
【００２６】
図１及び図２を参照すれば、本発明の一実施例に係るプローブのストレインリリーフ用具１００は、インサート部１１０、フェライトコア１２０及びラバー部１３０を備える。
【００２７】
インサート部１１０は、プローブスイッチボックス１０に装着される。本実施例において、インサート部１１０は、外形が凸状をなす円筒状に形成されている。すなわち、インサート部１１０は、本体部１１６と、該本体部１１６上に設けられ、プローブスイッチボックス１０に装着される凸部１１７とを有している。本実施例では、インサート部１１０の内側（内部）には貫通孔（符号は省略）が形成されるものとして例示している。このようなインサート部１１０の一方の側（図２の上側）はプローブスイッチボックス１０に装着され、他方の側（反対側）はラバー部１３０と連結される。
【００２８】
本実施例によれば、インサート部１１０は延長部１１１をさらに備える。延長部１１１は、インサート部１１０の他方の側に位置し、本体部１１６からラバー部１３０側に延長されるように形成される。このような延長部１１１は、インサート部１１０の本体部１１６（他方の部分）に比べて小さい内径及び外径を有するように形成される。これによって、インサート部１１０の本体部１１６（他方の部分）と延長部１１１との内側（内周部）及び外側（外周部）の境界部分には段差が形成される。
【００２９】
さらに、インサート部１１０は、内側に挿入溝１１２を備えている。挿入溝１１２は、貫通形成されたインサート部１１０の内側に備えられ、延長部１１１の内側に形成される。本実施例によれば、挿入溝１１２は、延長部１１１の内周部と本体部１１６の内周部との境界部分に形成される段差によって形成され、ラバー部１３０側に向けて開放されるように形成される。
【００３０】
プローブスイッチボックス１０に設置されるインサート部１１０側、すなわち、インサート部１１０の一方の側（プローブスイッチボックスと接続される側）には、インサート部１１０の回転を防止するＤカット部１１５が形成される。本実施例においては、Ｄカット部１１５は、インサート部１１０の本体部１１６の外周面および凸部１１７の外周面の下端部に複数の凹条として形成され（図２において左側）、インサート部１１０の一方の側と結合されるプローブスイッチボックス１０は、Ｄカット部１１５が形成されるインサート部１１０の一方の側（本体部１１６と凸部１１７）の外周面に対応する形状に形成されるものとして例示している。
【００３１】
このようなＤカット部１１５は、インサート部１１０の外周面に直線区間（複数の凹条）を形成することによって、プローブスイッチボックス１０に設置されたインサート部１１０がプローブスイッチボックス１０上で回転することを防止する。なお、Ｄカット部１１５は、本体部１１６の外周面にその周方向に沿って、複数形成されていてもよい。この場合、前記回転防止効果を確実に得ることができる。
【００３２】
フェライトコア１２０は挿入溝１１２に装着される。フェライトコア１２０は、ケーブル（図示せず）に沿って流れる電磁波ノイズを遮蔽する役割をするもので、フェライトコア１２０の詳細な構造及び作用は当業者にとって自明であるので、これに関する詳細な説明は省略する。
【００３３】
本実施例によれば、フェライトコア１２０は、挿入溝１１２に対応する形状に形成され、その内側にはケーブルが通過できるように貫通孔（符号は省略）が形成される。このようなフェライトコア１２０は、挿入溝１１２に装着されることによってインサート部１１０の延長部１１１の内部に挿入され、ケーブルは、貫通孔が形成されたフェライトコア１２０の内側を通過してインサート部１１０の内側に挿入される。すなわち、ケーブルは、フェライトコア１２０とインサート部１１０の貫通孔に挿入される。
【００３４】
ラバー部１３０は、インサート部１１０の他方の側にラバー材を射出成形することにより作成される。ラバー部１３０は、延長部１１１にラバー材を射出することによって、インサート部１１０の他方の側に連結される。このようなラバー部１３０は、ラバー材を射出注入するための樹脂（以下、「樹脂」という。）を延長部１１１の外側に射出することによって形成される。
【００３５】
さらに、延長部１１１には、注入溝１１３が形成される。注入溝１１３は、延長部１１１の側部上端に延長部１１１の外側から内側に貫通するように形成される。換言すると、注入溝１１３は、延長部１１１の外周面に周方向に沿って間欠的に形成されている。図１では４つの注入溝１１３が形成されているが、本発明はこれに限定されない。ラバー材は、延長部１１１に射出及び注入溝１１３に射出注入される。
【００３６】
本実施例によれば、ラバー部１３０を形成すると、延長部１１１の外側は樹脂で覆われ、注入溝１１３は、樹脂で充填されるようになる。このように延長部１１１の外側が樹脂で覆われ、注入溝１１３に樹脂が充填されることによって形成されるラバー部１３０は、延長部１１１との接触面積が広くなり、インサート部１１０に強い結合力で結合され、インサート部１１０上での回転が防止される。
【００３７】
前記のように形成されるラバー部１３０は、その外側がインサート部１１０の外側と段差を有さないように形成される。これによって、インサート部１１０の本体部１１６とラバー部１３０は、それらの外周面が連続した一つの外周面をなすように形成される。
【００３８】
さらに、ラバー部１３０の内側には貫通孔（符号は省略）が形成される。超音波診断装置の本体（図示せず）と連結されるケーブルは、ラバー部１３０、フェライトコア１２０及びインサート部１１０の貫通孔を通過してプローブスイッチボックス１０の内部に挿入される。
【００３９】
ラバー部１３０は、外部衝撃を吸収するため弾性を有する、自由に屈曲可能な軟性材質で形成される。このようなラバー部１３０は、ケーブルに加えられる衝撃からケーブルを保護し、ケーブルの屈曲による影響がプローブスイッチボックス１０とケーブルとの接点に及ぶことを抑制する。
【００４０】
図３は、本発明の一実施例に係るプローブのストレインリリーフ用具の製造方法を示すフローチャートである。
【００４１】
以下、図１〜図３を参照しながら、本実施例に係るプローブのストレインリリーフ用具１００を製造する方法について説明する。
【００４２】
図１〜図３を参照すれば、本実施例に係るプローブのストレインリリーフ用具１００を製造するためには、まず、インサート部１１０を製造する（Ｓ１０）。インサート部１１０は、外形が凸状に、内側が貫通した円筒状に形成される。
【００４３】
このようなインサート部１１０の外周面にはＤカット部１１５が窪んで形成され、インサート部１１０の他方の側には延長部１１１が備えられる。また、延長部１１１の内側には、フェライトコア１２０を挿入するための挿入溝１１２が形成され、延長部１１１の側部上端には、ラバー材が射出注入される注入溝１１３が形成される。
【００４４】
前記のようにインサート部１１０を形成した後、インサート部１１０にフェライトコア１２０を挿入する。本実施例によれば、フェライトコア１２０は、延長部１１１の内側に形成される挿入溝１１２に装着されることによって、インサート部１１０に挿入される（Ｓ２０）。
【００４５】
その後、フェライトコア１２０が挿入されたインサート部１１０にラバー材を射出注入する（Ｓ３０）。ラバー部１３０は、インサート部１１０の延長部１１１を樹脂で覆い、及び注入溝１１３に樹脂が充填されることによって形成される。これにより、ラバー部１３０は、インサート部１１０に強い結合力で結合され、インサート部１１０上での回転を阻止する。
【００４６】
前記のように製造される本実施例のプローブのストレインリリーフ用具１００は、ケーブルに加えられる衝撃からケーブルを保護し、ケーブルの屈曲による影響がプローブスイッチボックス１０とケーブルとの接点に及ぶことを抑制することによって、ケーブルを破損から保護する。
【００４７】
また、本実施例のプローブのストレインリリーフ用具１００は、フェライトコア１２０が挿入されたインサート部１１０にラバー材を射出注入することによって製造されるので、部品の数が少なくなり、組立作業が不要になる。これにより、製造が容易になるのみならず、製造にかかる費用を削減できるという利点を有する。
【００４８】
また、本実施例のプローブストレインリリーフ用具１００は、プローブスイッチボックス１０上でのインサート部１１０の回転及びインサート部１１０上でのラバー部１３０の回転が防止されるので、プローブスイッチボックス１０、インサート部１１０及びラバー部１３０の間の回転及びこれによって発生する部材間の摩耗や破損を防止することができる。
【００４９】
本発明を図面に示した実施例を参考にして説明したが、これは例示的なものにすぎず、当該技術に属する分野で通常の知識を有する者であれば、これから多様な変形及び均等な他の実施例が可能であるという点を理解するだろう。従って、本発明の真の技術的保護範囲は、下記の特許請求の範囲により定めなければならない。
【符号の説明】
【００５０】
１００：プローブのストレインリリーフ用具、１１０：インサート部、１１１：延長部、１１２：挿入溝、１１３：注入溝、１１５：Ｄカット部、１１６：本体部、１１７：凸部、１２０：フェライトコア、１３０：ラバー部、１０：プローブスイッチングボックス
【図１】
2011104372.tif 000003
【図２】
2011104372.tif 000004
【図３】
2011104372.tif 000005